Podtech/llm-jp-corpus-v4-ja_patent huggingface dataset:
【手続補正書】
【提出日】平成22年8月13日(2010.8.13)
【手続補正１】
【補正対象書類名】特許請求の範囲
【補正対象項目名】全文
【補正方法】変更
【補正の内容】
【特許請求の範囲】
【請求項１】
ヒトタンパク質チロシンホスファターゼβ（ＨＰＴＰβ）に結合する単離した抗体又はその抗原結合断片であって、血管新生を調節する抗体又はその抗原結合断片。
【請求項２】
前記抗体又はその抗原結合断片が、前記ＨＰＴＰβのＮ末端部分に結合する、請求項１に記載の抗体又はその抗原結合断片。
【請求項３】
前記抗体又はその抗原結合断片が、前記ＨＰＴＰβの第一ＦＮ３反復に結合する、請求項２に記載の抗体又はその抗原結合断片。
【請求項４】
前記ＨＰＴＰβの前記第一ＦＮ３反復が、配列番号１１に示す配列又はその断片を有する、請求項３に記載の抗体又はその抗原結合断片。
【請求項５】
前記抗体又はその抗原結合断片がモノクローナル抗体又はその抗原結合断片である、請求項１に記載の抗体又はその抗原結合断片。
【請求項６】
ハイブリドーマ細胞株ＡＴＣＣ番号ＰＴＡ−７５８０により産生される請求項５に記載のモノクローナル抗体又はハイブリドーマ細胞株ＡＴＣＣ番号ＰＴＡ−７５８０により産生される請求項５に記載のモノクローナル抗体の抗原結合断片。
【請求項７】
前記抗体又は前記のその抗原結合断片がヒト化された、請求項１に記載の抗体又はその抗原結合断片。
【請求項８】
モノクローナル抗体Ｒ１５Ｅ６由来の抗原結合領域残基を含み、ヒト化された、請求項６に記載の抗体又はその抗原結合断片。
【請求項９】
前記断片がＨ鎖可変領域及びＬ鎖可変領域を含む、請求項７に記載の抗原結合断片。
【請求項１０】
前記抗原結合断片が、Ｆｖ断片、Ｆａｂ断片、Ｆａｂ’断片及びＦ（ａｂ’）2断片からなる群から選択される、請求項７に記載の抗原結合断片。
【請求項１１】
血管新生調節疾患の治療に用いるための薬剤の製造において、ＨＰＴＰβに結合し、血管新生を調節する、抗体又はその抗原結合断片の使用。
【請求項１２】
前記血管新生調節疾患が、糖尿病性網膜症、黄斑変性症、癌、鎌状赤血球性貧血、サルコイド、梅毒、弾力線維性仮性黄色腫、パジェット病、静脈閉塞、動脈閉塞、頸動脈閉塞性疾患、慢性ブドウ膜炎／硝子体炎、マイコバクテリア感染、ライム病、全身性紅斑性狼瘡、未熟児網膜症、イールズ病、ベーチェット病、網膜炎又は脈絡膜炎の原因となる感染、推定眼ヒストプラスマ症、ベスト病、近視、視神経乳頭小窩、シュタルガルト病、扁平部炎、慢性網膜剥離、過粘稠度症候群、トキソプラスマ症、外傷及びレーザ後合併症、ルベオーシス関連疾患、及び増殖性硝子体網膜症から選択される、血管新生増加疾患である、請求項１１に記載の使用。
【請求項１３】
前記血管新生調節疾患が、クローン病及び潰瘍性大腸炎を含む炎症性腸疾患、乾癬、サルコイドーシス、リウマチ様関節炎、血管腫、オースラー−ウェーバー−ランデュ病、又は遺伝性出血性末梢血管拡張症、固体又は血液媒介腫瘍、及び後天性免疫不全症候群から選択される、血管新生増加疾患である、請求項１１に記載の使用。
【請求項１４】
前記血管新生調節疾患が、骨格筋虚血及び心筋虚血、脳卒中、冠動脈疾患、末梢血管疾患、並びに冠動脈疾患から選択される、血管新生減少疾患であり、好ましくは、前記血管新生減少疾患が前記末梢血管疾患又は前記冠動脈疾患である、請求項１１に記載の使用。
【請求項１５】
モノクローナル抗体Ｒ１５Ｅ６。
【請求項１６】
モノクローナル抗体Ｒ１５Ｅ６と同様の、又は実質的に同様の生物学的特性を有する抗体。
【請求項１７】
ａ．請求項１、６、７、８、１５又は１６のいずれか一項に記載の抗体又はその断片と、
ｂ．製薬上許容できる担体と、を含む医薬組成物。
【請求項１８】
Ｔｉｅ−２シグナル伝達を増強するための、請求項１から１０、１５及び１６のいずれか一項に記載の単離した抗体又はその抗原結合断片の使用。
【請求項１９】
内皮細胞の遊走を促進するための、請求項１から１０、１５及び１６のいずれか一項に記載の単離した抗体又はその抗原結合断片の使用。
【請求項２０】
内皮細胞の生存を促進するための、請求項１から１０、１５及び１６のいずれか一項に記載の単離した抗体又はその抗原結合断片の使用。
【請求項２１】
血管の形態形成及び安定化を促進するための、請求項１から１０、１５及び１６のいずれか一項に記載の単離した抗体又はその抗原結合断片の使用。
【請求項２２】
Ｔｉｅ−２シグナル伝達を増加するための医薬の製造のための、請求項１から１０、１５及び１６のいずれか一項に記載の単離した抗体又はその抗原結合断片の使用。
【請求項２３】
内皮細胞の遊走を促進するための医薬の製造のための、請求項１から１０、１５及び１６のいずれか一項に記載の単離した抗体又はその抗原結合断片の使用。
【請求項２４】
内皮細胞の生存を促進するための医薬の製造のための、請求項１から１０、１５及び１６のいずれか一項に記載の単離した抗体又はその抗原結合断片の使用。
【請求項２５】
血管の形態形成及び安定化を促進するための医薬の製造のための、請求項１から１０、１５及び１６のいずれか一項に記載の単離した抗体又はその抗原結合断片の使用。
【請求項２６】
Ｔｉｅ−２シグナル伝達を低下するための、請求項１から１０、１５及び１６のいずれか一項に記載の単離した抗体又はその抗原結合断片の使用。
【請求項２７】
内皮細胞の遊走を低下させるための、請求項１から１０、１５及び１６のいずれか一項に記載の単離した抗体又はその抗原結合断片の使用。
【請求項２８】
内皮細胞の生存を低下させるための、請求項１から１０、１５及び１６のいずれか一項に記載の単離した抗体又はその抗原結合断片の使用。
【請求項２９】
血管の形態形成及び安定化を低下させるための、請求項１から１０、１５及び１６のいずれか一項に記載の単離した抗体又はその抗原結合断片の使用。
【請求項３０】
Ｔｉｅ−２シグナル伝達を低下するための医薬の製造のための、請求項１から１０、１５及び１６のいずれか一項に記載の単離した抗体又はその抗原結合断片の使用。
【請求項３１】
内皮細胞の遊走を低下させるための医薬の製造のための、請求項１から１０、１５及び１６のいずれか一項に記載の単離した抗体又はその抗原結合断片の使用。
【請求項３２】
内皮細胞の生存を低下させるための医薬の製造のための、請求項１から１０、１５及び１６のいずれか一項に記載の単離した抗体又はその抗原結合断片の使用。
【請求項３３】
血管の形態形成及び安定化を低下させるための医薬の製造のための、請求項１から１０、１５及び１６のいずれか一項に記載の単離した抗体その抗原結合断片の使用。
【手続補正２】
【補正対象書類名】明細書
【補正対象項目名】配列表
【補正方法】変更
【補正の内容】
【配列表】
2009533337000001.app
【手続補正書】
【提出日】平成22年4月2日(2010.4.2)
【手続補正１】
【補正対象書類名】特許請求の範囲
【補正対象項目名】全文
【補正方法】変更
【補正の内容】
【特許請求の範囲】
【請求項１】
被験体における加齢黄斑変性症(AMD)の処置のための医薬の製造における、PB-1033：
2009533356.tif 000001
または薬学的に許容されるその塩、誘導体もしくは機能的等価物の使用。
【請求項２】
被験体が哺乳動物である、請求項1記載の使用。
【請求項３】
哺乳動物がヒトである、請求項2記載の使用。
【請求項４】
PB-1033またはその等価物または誘導体の量が、網膜ドルーゼン中の金属レベルを低減する量である、請求項1または2または3記載の使用。
【請求項５】
金属が亜鉛および銅からなる一覧から選択される、請求項4記載の使用。
【請求項６】
PB-1033の誘導体または機能的等価物が、表8中の一覧または薬学的に許容されるその塩、誘導体もしくは機能的等価物から選択される、請求項1または2または3または4または5記載の使用。
【請求項７】
PB-1033の誘導体または等価物が、PB-1076、PB-1085、PB-1120、PB-1127、PB-1135、PB-1149、PB-1151、PB-1160、およびPB-1168からなる一覧、または薬学的に許容されるその塩から選択される、請求項6記載の使用。
【請求項８】
加齢黄斑変性症(AMD)の症状をそれによって改善する、被験体における網膜ドルーゼンからの金属のレベルを低減するための、PB-1033：
2009533356.tif 000002
または薬学的に許容されるその塩、誘導体もしくは等価物の使用。
【請求項９】
被験体が哺乳動物である、請求項8記載の使用。
【請求項１０】
哺乳動物がヒトである、請求項9記載の使用。
【請求項１１】
金属が亜鉛および銅からなる一覧から選択される、請求項8または9または10記載の使用。
【請求項１２】
PB-1033の誘導体または機能的等価物が、表8中の一覧または薬学的に許容されるその塩、誘導体もしくは機能的等価物から選択される、請求項8または9または10または11記載の使用。
【請求項１３】
PB-1033の誘導体または等価物が、PB-1076、PB-1085、PB-1120、PB-1127、PB-1135、PB-1149、PB-1151、PB-1160およびPB-1168からなる一覧、または薬学的に許容されるその塩、誘導体もしくは機能的等価物から選択される、請求項8記載の使用。
【請求項１４】
以下から選択される化合物：
2009533356.tif 000003
2009533356.tif 000004
2009533356.tif 000005
。
【請求項１５】
PB1267、PB1268、PB1269、およびPB1271から選択される、請求項14記載の化合物。
【請求項１６】
PB-1268である、請求項15記載の化合物。
【請求項１７】
PB1135またはPB1149である、請求項14記載の化合物。
【手続補正２】
【補正対象書類名】明細書
【補正対象項目名】００３９
【補正方法】変更
【補正の内容】
【００３９】
（表１）略語
2009533356.tif 000006
[請求項101]
AMDの症状を改善するレベルにまで網膜ドルーゼン中の金属を低減するのに有効な、PB-1033:
2009533356.tif 000007
または薬学的に許容されるその塩、誘導体もしくは機能的等価物の量を被験体に投与する段階を含む、加齢黄斑変性症(AMD)を有する被験体を処置するための方法。
[請求項102]
被験体が哺乳動物である、請求項101記載の方法。
[請求項103]
哺乳動物がヒトである、請求項102記載の方法。
[請求項104]
金属が亜鉛および銅からなる一覧から選択される、請求項101または102または103記載の方法。
[請求項105]
PB-1033の誘導体または機能的等価物が、表8中の一覧または薬学的に許容されるその塩、誘導体もしくは機能的等価物から選択される、請求項101または102または103または104記載の方法。
[請求項106]
PB-1033の誘導体または機能的等価物が、PB-1076、PB-1085、PB-1120、PB-1127、PB-1135、PB-1149、PB-1151、PB-1160、およびPB-1168からなる一覧、または薬学的に許容されるその塩、誘導体もしくは機能的等価物から選択される、請求項105記載の方法。
[請求項107]
被験体における加齢黄斑変性症(AMD)の処置のための医薬の製造における、PB-1033:
2009533356.tif 000008
または薬学的に許容されるその塩、誘導体もしくは機能的等価物の使用。
[請求項108]
被験体が哺乳動物である、請求項107記載の使用。
[請求項109]
哺乳動物がヒトである、請求項108記載の使用。
[請求項110]
PB-1033またはその等価物の誘導体の量が、網膜ドルーゼン中の金属レベルを低減する量である、請求項107または108または109記載の使用。
[請求項111]
金属が亜鉛および銅からなる一覧から選択される、請求項110記載の使用。
[請求項112]
PB-1033の誘導体または機能的等価物が、表8中の一覧または薬学的に許容されるその塩、誘導体もしくは機能的等価物から選択される、請求項107または108または109または110または111記載の使用。
[請求項113]
PB-1033の誘導体または等価物が、PB-1076、PB-1085、PB-1120、PB-1127、PB-1135、PB-1149、PB-1151、PB-1160、およびPB-1168からなる一覧、または薬学的に許容されるその塩から選択される、請求項112記載の使用。
[請求項114]
PB-1033:
2009533356.tif 000009
または薬学的に許容されるその塩、誘導体もしくは等価物の有効量を被験体に投与する段階を含む、加齢黄斑変性症(AMD)の症状をそれによって改善する、被験体における網膜ドルーゼンからの金属のレベルを低減するための方法。
[請求項115]
被験体が哺乳動物である、請求項114記載の方法。
[請求項116]
哺乳動物がヒトである、請求項115記載の方法。
[請求項117]
金属が亜鉛および銅からなる一覧から選択される、請求項114または115または116記載の方法。
[請求項118]
PB-1033の誘導体または機能的等価物が、表8中の一覧または薬学的に許容されるその塩、誘導体もしくは機能的等価物から選択される、請求項114または115または116または117記載の方法。
[請求項119]
PB-1033の誘導体または等価物が、PB-1076、PB-1085、PB-1120、PB-1127、PB-1135、PB-1149、PB-1151、PB-1160およびPB-1168からなる一覧、または薬学的に許容されるその塩、誘導体もしくは機能的等価物から選択される、請求項114記載の方法。
【手続補正書】
【提出日】平成22年3月23日(2010.3.23)
【手続補正１】
【補正対象書類名】特許請求の範囲
【補正対象項目名】全文
【補正方法】変更
【補正の内容】
【特許請求の範囲】
【請求項１】
ヒトまたは動物の胃腸管で吸収されたときに所望の治療的効果を有する生理学的有効量の治療剤成分であって、水溶性および水による表面湿潤性が制限されており、複数の固体粒子として存在する、α-2-アドレナリン作動性受容体アゴニストおよびその混合物からなる群から選択される治療剤成分；
界面活性剤成分を含まない実質的に同一の組成物と比較して、ヒトまたは動物の胃腸管における治療剤成分の吸収を増大させるのに有効な量の界面活性剤成分；および
医薬的に許容され得るキャリア
を含む、ヒトまたは動物の胃腸管に投与するための組成物。
【請求項２】
治療剤成分が25℃で約0.5mg/ml未満の水溶性を有する、請求項１に記載の組成物。
【請求項３】
治療剤成分の固体粒子が、治療剤成分のより大きい固体粒子と比較して低い速度で水に溶解するように、治療剤成分の水による表面湿潤性が十分に制限されている、請求項１に記載の組成物。
【請求項４】
複数の粒子が1ミクロン〜約50ミクロン、1ミクロン〜約30ミクロン、および3ミクロン〜約20ミクロンからなる群から選択される範囲の直径を有する、請求項１に記載の組成物。
【請求項５】
治療剤成分が約90°以上の前進接触角を有する、請求項１に記載の組成物。
【請求項６】
治療剤成分が約45°以上の後退接触角を有する、請求項１に記載の組成物。
【請求項７】
α-2-アドレナリン作動性受容体アゴニスト成分が、
【化１】
2009533352.tif 000001
【化２】
2009533352.tif 000002
【化３】
2009533352.tif 000003
【化４】
2009533352.tif 000004
それらの医薬的に許容され得る塩、エステル、アミド、立体異性体およびラセミ混合物、ならびにそれらの混合物からなる群から選択される、請求項１に記載の組成物。
【請求項８】
治療剤成分が、
【化５】
2009533352.tif 000005
その医薬的に許容され得る塩、エステル、アミド、立体異性体およびラセミ混合物、ならびにそれらの混合物からなる群から選択される、請求項１に記載の組成物。
【請求項９】
治療剤成分が、
【化６】
2009533352.tif 000006
その医薬的に許容され得る塩、エステル、アミド、立体異性体およびラセミ混合物、ならびにそれらの混合物からなる群から選択される、請求項１に記載の組成物。
【請求項１０】
治療剤成分が、
【化７】
2009533352.tif 000007
その医薬的に許容され得る塩、エステル、アミド、立体異性体およびラセミ混合物、ならびにそれらの混合物からなる群から選択される、請求項１に記載の組成物。
【請求項１１】
治療剤成分が、
【化８】
2009533352.tif 000008
その医薬的に許容され得る塩、エステル、アミド、立体異性体およびラセミ混合物、ならびにそれらの混合物からなる群から選択される、請求項１に記載の組成物。
【請求項１２】
界面活性剤成分が、治療剤成分の水による表面湿潤性を増大させるのに有効である、請求項１に記載の組成物。
【請求項１３】
界面活性剤成分が、ヒドロカルビル硫酸アルカリ金属、脂肪酸エトキシレート、ポリオキシエチレンステアレート、ポリオキシエチレン／ポリオキシプロピレン共重合体およびそれらの混合物からなる群から選択される、請求項１に記載の組成物。
【請求項１４】
界面活性剤成分が、分子あたり約8個〜約16個の炭素原子を有するヒドロカルビル硫酸アルカリ金属およびその混合物、分子あたり約8個〜約16個の炭素原子を有するヒドロカルビル硫酸ナトリウムおよびその混合物、ならびにドデシル硫酸ナトリウムからなる群から選択される、請求項１に記載の組成物。
【請求項１５】
所望の治療的効果が下記障害の処置を包含する、請求項１に記載の組成物：慢性痛；神経学的状態；感覚過敏症、例えば、線維筋痛症に関連する感覚過敏症など、または頭痛、例えば、片頭痛など；胃腸疾患、例えば、過敏性腸症候群および消化不良など；皮膚科学的状態、例えば、乾癬など；心臓血管障害；頻脈；末梢血管収縮の障害、これには、レイノー病および強皮症が含まれる；パニック発作；代謝性障害、例えば、II型糖尿病、インスリン抵抗性および肥満など；筋収縮の障害、これには、骨格筋収縮の障害、平滑筋収縮の障害、痙縮、および、緊張型頭痛に関連する筋収縮の障害が含まれる；行動障害、例えば、限定されないが、過食および薬物依存性など；ならびに性的機能障害。
【手続補正書】
【提出日】平成22年4月5日(2010.4.5)
【手続補正１】
【補正対象書類名】特許請求の範囲
【補正対象項目名】全文
【補正方法】変更
【補正の内容】
【特許請求の範囲】
【請求項１】
安定化免疫調節ＲＮＡ（ＳＩＭＲＡ）化合物を含む、ＴＬＲ８、ＴＬＲ７およびＴＬＲ８、またはＴＬＲ７に対するアゴニスト。
【請求項２】
ＳＩＭＲＡが、３’または５’付着またはこれらの組み合わせを介して結合するＲＮＡベースのオリゴヌクレオチドの少なくとも２つを含む、請求項１に記載のアゴニスト。
【請求項３】
ＲＮＡベースのオリゴヌクレオチドが、３’末端または５’末端で互いに直接結合する、請求項２に記載のアゴニスト。
【請求項４】
ＲＮＡベースのオリゴヌクレオチドの３’末端または５’末端が、非ヌクレオチドリンカーと結合する、請求項２に記載のアゴニスト。
【請求項５】
非ヌクレオチドリンカーが、アルキルリンカーまたはアミノリンカーであり、ここでアルキルまたはアミノリンカーは、任意に、分枝または非分枝、環状または非環状、置換または非置換、飽和または不飽和、キラル、アキラルまたはラセミ混合物であってもよい、請求項４に記載のアゴニスト。
【請求項６】
アルキルリンカーが、約２〜約１８個の炭素原子を有し得る、請求項５に記載のアゴニスト。
【請求項７】
アルキルリンカーが、約３〜約９個の炭素原子を有し得る、請求項５に記載のアゴニスト。
【請求項８】
アルキルリンカーが、１，２，３−プロパントリオール、グリセロール、１，２，４−ブタントリオール、２−ヒドロキシメチル−１，３−プロパンジオール、１，１，１−トリス（ヒドロキシメチル）エタン、２−アミノ−２−（ヒドロキシメチル）１，３−プロパンジオール、トリス（ヒドロキシメチル）ニトロメタン、１，１，１−トリ（ヒドロキシメチル）プロパン、１，２，６−ヘキサントリオール、１，３，５−ヘキサントリオール、１，３，５−ペンタントリオール、３−メチル−１，３，５−ペンタントリオール、１，２，３−ヘプタントリオール、２−（ヒドロキシメチル）１，４−ブタンジオール、１，３−ジ（ヒドロキシメチル）フェノール、１，３，５−トリ（ヒドロキシメチル）ベンゼン、１，３−ジ（ヒドロキシエトキシ）−２−ヒドロキシ−プロパン、１，３−ジ（ヒドロキシプロポキシ）−２−ヒドロキシ−プロパン、Ｄ−ガラクタール、１，３，５−トリス（２−ヒドロキシエチル）シアヌル酸または１，３，５−トリス（４−ヒドロキシフェニル）ベンゼンから選択される、請求項５に記載のアゴニスト。
【請求項９】
ＲＮＡベースのオリゴヌクレオチドの少なくとも１つが、修飾オリゴリボヌクレオチドを含む、請求項１に記載のアゴニスト。
【請求項１０】
修飾オリゴリボヌクレオチドが、７−デアザ−Ｇ、アラ−Ｇ、６−チオ−Ｇ、イノシン、イソ−Ｇ、ロキソリビン、ＴＯＧ（７−チオ−８−オキソ）−Ｇ、８−ブロモ−Ｇ、８−ヒドロキシ−Ｇ、５−アミノホルマイシンＢ、オキソホルマイシン、７−メチル−Ｇ、９−ｐ−クロロフェニル−８−アザ−Ｇ、９−フェニル−Ｇ、９−ヘキシル−グアニン、７−デアザ−９−ベンジル−Ｇ、６−クロロ−７−デアザグアニン、６−メトキシ−７−デアザグアニン、８−アザ−７−デアザ−Ｇ（ＰＰＧ）、２−（ジメチルアミノ）グアノシン、７−メチル−６−チオグアノシン、８−ベンジルオキシグアノシン、９−デアザグアノシン、９−ベンジル−８−ヒドロキシ−２−（２−メトキシエトキシ）アデニン、２−アミノ−Ｎ２−Ｏ−、メチルアデノシン、８−アザ−７−デアザ−Ａ、７−デアザ−Ａ、ビダラビン、２−アミノアデノシン、Ｎ１−メチルアデノシン、８−アザアデノシン、５−ヨードツベルサイジン、１−（Ｂ−Ｄ−リボフラノシル）−２−オキソ−７−デアザ−８−メチル−プリンおよび４−チオ−Ｕまたはこれらの組み合わせを含む、請求項９に記載のアゴニスト。
【請求項１１】
ＲＮＡベースの化合物が、さらに５’キャップを含む、請求項１〜１０のいずれか１項に記載のアゴニスト。
【請求項１２】
５’キャップが、非ヌクレオチドリンカーである、請求項１１に記載のアゴニスト。
【請求項１３】
請求項１〜１２のいずれか１項に記載のアゴニストおよび薬学的に許容し得る担体を含む、医薬組成物。
【請求項１４】
脊椎動物において免疫応答を惹起するための、請求項１３に記載の医薬組成物。
【請求項１５】
癌、自己免疫疾患、気道炎症、炎症性障害、感染症、皮膚病、アレルギー、喘息または病原によって引き起こされた疾病を有する脊椎動物を治療的に処置するための、請求項１３に記載の医薬組成物。
【請求項１６】
脊椎動物における癌、自己免疫疾患、気道炎症、炎症性障害、感染症、皮膚病、アレルギー、喘息または病原によって引き起こされた疾病を予防するための、請求項１３に記載の医薬組成物。
【請求項１７】
１または２以上の化学療法化合物との組み合わせで投与される、請求項１５または１６に記載の医薬組成物。
【請求項１８】
標的治療剤との組み合わせで投与される、請求項１５または１６に記載の医薬組成物。
【請求項１９】
抗体との組み合わせで投与される、請求項１５または１６に記載の医薬組成物。
【請求項２０】
ＤＮＡワクチンとの組み合わせで投与される、請求項１５に記載の医薬組成物。
【請求項２１】
ワクチンとの組み合わせで投与される、請求項１５に記載の医薬組成物。
【請求項２２】
抗原との組み合わせで投与される、請求項１５に記載の医薬組成物。
【手続補正書】
【提出日】平成22年3月10日(2010.3.10)
【手続補正１】
【補正対象書類名】特許請求の範囲
【補正対象項目名】全文
【補正方法】変更
【補正の内容】
【特許請求の範囲】
【請求項１】
（ａ）少なくとも１つの溶剤、
（ｂ）少なくとも１つの界面活性剤、
（ｃ）少なくとも１つの油、及び
（ｄ）水
のエマルジョンを含む抗菌組成物であって、
抗菌効果のための米国薬局方（ＵＳＰ）試験要件を満たし、更なる抗菌保存料を含まない、抗菌ナノ構造組成物。
【請求項２】
大腸菌（E. coli）（ＡＴＣＣ  ８７３９）、緑膿菌（P. aeruginosa）（ＡＴＣＣ  ９０２７）、黄色ブドウ球菌（S. aureus）（ＡＴＣＣ  ６５３８）、Ｃ．アルビカンス（C. albicans）（ＡＴＣＣ  １０２３１）、及びＡ．ニガー（A. niger）（ＡＴＣＣ  １６４０４）の１つ以上に対して抗菌効果を有する、請求項１に記載の組成物。
【請求項３】
緑膿菌（P. aeruginosa）（ＡＴＣＣ  １３３８８）、緑膿菌（P. aeruginosa）（ＡＴＣＣ  ２５６１９）、黄色コウジ菌（A. flavus）、及びＡ．フミガーツス（A. fumigatus）の１つ以上に対して抗菌効果を有する、請求項２に記載の組成物。
【請求項４】
重量対重量ベースで、それぞれ約２３：約５：約４の比率で、油：界面活性剤：溶剤を含む、請求項１に記載の組成物。
【請求項５】
それぞれ約２：約１の比率で、相を備える油と水又は緩衝液を含む、請求項１に記載の組成物。
【請求項６】
（ａ）約１０％〜約３０％（ｗ／ｗ）の前記油、
（ｂ）約０．５％〜約１０％（ｗ／ｗ）の前記溶剤、
（ｃ）約１％〜約８％（ｗ／ｗ）の前記界面活性剤、
（ｄ）約２０％〜約８０％（ｗ／ｗ）の前記水、又は
（ｅ）あらゆるその組み合わせ．
を含む、請求項１に記載の組成物。
【請求項７】
（ａ）前記溶剤に溶解された少なくとも１つの活性薬剤、（ｂ）前記油に溶解された少なくとも１つの活性薬剤、（ｃ）前記水に溶解された少なくとも１つの活性薬剤、（ｄ）前記溶剤中に存在する少なくとも１つの活性薬剤の粒子、（ｅ）前記油中に存在する少なくとも１つの活性薬剤の粒子、（ｆ）前記水中に存在する少なくとも１つの活性薬剤の粒子、（ｇ）又はその組み合わせをさらに含む、請求項１に記載の組成物。
【請求項８】
前記活性薬剤が、アシクロビル、シクロスポリン、ナルトレキソン、アレンドロン酸、セチリジン（ceterizine）、ニコチン、テストステロン、プロゲステロン、又はエストラジオールである、請求項７に記載の組成物。
【請求項９】
溶解された活性薬剤を含む油の小球を含む、請求項７に記載の組成物。
【請求項１０】
前記油の小球が、直径約１μｍ未満、約９００ｎｍ未満、約８００ｎｍ未満、約７００ｎｍ未満、約６００ｎｍ未満、約５００ｎｍ未満、約４００ｎｍ未満、約３００ｎｍ未満、約２００ｎｍ未満、及び約１００ｎｍ未満からなる群から選択される粒子サイズを有する、請求項９に記載の組成物。
【請求項１１】
前記活性薬剤粒子、可溶化された活性薬剤を含む油小滴、可溶化された薬剤を含む水小滴、又はその組み合わせが、直径約１０μｍ未満の平均粒子サイズを有する、請求項７に記載の組成物。
【請求項１２】
前記活性薬剤粒子、可溶化された活性薬剤を含む油小滴、可溶化された薬剤を含む水小滴、又はその組み合わせが、直径約９μｍ未満、約８μｍ未満、約７μｍ未満、約６μｍ未満、約５μｍ未満、約４μｍ未満、及び約３μｍ以上からなる群から選択される平均粒子サイズを有する、請求項１１に記載の組成物。
【請求項１３】
前記活性薬剤粒子、可溶化された活性薬剤を含む油小滴、可溶化された薬剤を含む水小滴、又はその組み合わせが、直径約３μｍ未満の平均粒子サイズを有する、請求項７に記載の組成物。
【請求項１４】
前記活性薬剤粒子、可溶化された活性薬剤を含む油小滴、可溶化された薬剤を含む水小滴、又はその組み合わせが、約２９００ｎｍ未満、約２８００ｎｍ未満、約２７００ｎｍ未満、約２６００ｎｍ未満、約２５００ｎｍ未満、約２４００ｎｍ未満、約２３００ｎｍ未満、約２２００ｎｍ未満、約２１００ｎｍ未満、約２μｍ未満、約１９００ｎｍ未満、約１８００ｎｍ未満、約１７００ｎｍ未満、約１６００ｎｍ未満、約１５００ｎｍ未満、約１４００ｎｍ未満、約１３００ｎｍ未満、約１２００ｎｍ未満、約１１００ｎｍ未満、約１μｍ未満、約９００ｎｍ未満、約８００ｎｍ未満、約７００ｎｍ未満、約６００ｎｍ未満、約５００ｎｍ未満、約４００ｎｍ未満、約３００ｎｍ未満、約２００ｎｍ未満、約１００ｎｍ未満、約９０ｎｍ未満、約８０ｎｍ未満、約７０ｎｍ未満、約６０ｎｍ未満、約５０ｎｍ未満、約４０ｎｍ未満、約３０ｎｍ未満、約２０ｎｍ未満、及び約１０ｎｍ未満からなる群から選択される平均粒子サイズを有する、請求項１３に記載の組成物。
【請求項１５】
前記溶剤が、ミリスチン酸イソプロピル、トリアセチン、Ｎ−メチルピロリジノン、脂肪族及び芳香族アルコール、エタノールジメチルスルホキシド、ジメチルアセトアミド、エトキシジグリコール、ポリエチレングリコール、及びプロピレングリコールからなる群から選択される、請求項１に記載の組成物。
【請求項１６】
前記油が、アーモンド油（甘扁桃）、杏仁油、ルリヂサ油、カノーラ油、ココナツ油、コーン油、綿実油、魚油、ホホバ豆油、ラード油、アマニ油（煮沸）、マカダミアナッツ油、中鎖トリグリセリド、鉱物油、オリーブ油、落花生油、ベニバナ油、ゴマ油、ダイズ油、スクアレン、ヒマワリ種子油、トリカプリリン（１，２，３−トリオクタノイルグリセロール）、及び小麦胚芽油からなる群から選択される、請求項１に記載の組成物。
【請求項１７】
前記界面活性剤が、ソルビタンエステル、グリセロールエステル、ポリエチレングリコールエステル、ブロックポリマー、アクリルポリマー（Pemulenなど）、エトキシル化脂肪酸エステル（Cremophor RH-40など）、エトキシル化アルコール（Brijなど）、エトキシル化脂肪酸（Tween 20など）、モノグリセリド、ケイ素ベースの界面活性剤、及びポリソルベートからなる群から選択される、請求項１に記載の組成物。
【請求項１８】
前記ソルビタンエステル界面活性剤がSpan及びArlacelであり、前記グリセロールエステルがモノステアリン酸グリセリンであり、前記ポリエチレングリコールエステルがポリエチレングリコールステアリン酸であり、前記ブロックポリマーがPluronicであり、前記アクリルポリマーがPemulenであり、前記エトキシル化脂肪酸エステルがCremophor RH-40であり、前記エトキシル化アルコールがBrijであり、前記エトキシル化脂肪酸がTween 20である、請求項１７に記載の組成物。
【請求項１９】
表面を
（ａ）少なくとも１つの溶剤、
（ｂ）少なくとも１つの界面活性剤、
（ｃ）少なくとも１つの油、及び
（ｄ）水
を含むナノ構造組成物にさらすことを含む、生物学的又は非生物学的表面を消毒する方法であって、
前記組成物が抗菌効果に関する米国薬局方（ＵＳＰ）試験要件を満たし、更なる抗菌保存料を含まない、方法。
【手続補正書】
【提出日】平成22年3月25日(2010.3.25)
【手続補正１】
【補正対象書類名】特許請求の範囲
【補正対象項目名】全文
【補正方法】変更
【補正の内容】
【特許請求の範囲】
【請求項１】
自動車のためのトルクコンバータであって、ケーシング（４）と、該ケーシング（４）内に配置されるポンプ（１）、タービン（２）、ガイドホイール（３）、ロックアップクラッチとが設けられており、前記ポンプ（１）、タービン（２）およびガイドホイール（３）が相俟って１つのトーラスを形成しており、前記ガイドホイール（３）が、流入開口（９）および流出開口（１０）を有している形式のものにおいて、ガイドホイール（３）の流出開口（１０）における流出高さ（１６）が、流入開口（９）における流入高さ（１７）より大きく、前記ガイドホイール（３）の外側の環状の制限面（１９）が前記トルクコンバータの回転軸線に対して傾いており、前記外側の環状の制限面（１９）が前記ガイドホイール（３）の前記流入開口（９）および前記流出開口（１０）の一部を形成しており、前記トルクコンバータの回転軸線と、前記外側の環状の制限面（１９）における前記流入開口（９）との間の半径方向の第１の間隔が、前記トルクコンバータの回転軸線と、前記外側の環状の制限面（１９）における前記流出開口（１０）との間の第２の間隔より短いことを特徴とする、自動車のためのトルクコンバータ。
【請求項２】
ガイドホイール（３）の流出開口（１０）における内側の環状の制限面（１８）の直径が、ガイドホイール（３）の流入開口（９）における内側の環状の制限面（１８）の直径より小さい、請求項１記載のトルクコンバータ。
【請求項３】
前記ガイドホイール（３）がガイドホイールベーンを備え、前記外側の環状の制限面（１９）が、ガイドホイールベーンの外側直径上に被せはめ可能な別個のリングとして形成されている、請求項１記載のトルクコンバータ。
【請求項４】
前記別個のリングが、段部、ノッチまたはかしめによりガイドホイールベーンに固定されている、請求項３記載のトルクコンバータ。
【請求項５】
ポンプ（１）の流出開口（６）の総和が、円錐形の形態をなしており、該円錐形は、ポンプ（１）の外側の縁部が、ポンプ（１）の内側の直径よりもさらにタービン（２）に向かって延在するように構成されており、かつタービン（２）の流入開口（７）が、ポンプ（１）の流出開口（６）に対して平行であり、ポンプ（１）からタービン（２）への移行領域（２０）に、ケーシング（４）が直径の飛躍を有しない、請求項１記載のトルクコンバータ。
【請求項６】
内側のガイドホイール通流口直径（１４）が、ポンプ外側直径（２１）の０．５〜０．７倍である、請求項１記載のトルクコンバータ。
【請求項７】
少なくとも内側のタービン流出直径（１２）または内側のポンプ流入直径（１３）が、内側のガイドホイール通流口直径（１４）より小さい、請求項１記載のトルクコンバータ。
【請求項８】
内側のタービン流出直径（１２）および内側のポンプ流入直径（１３）が、内側のガイドホイール通流口直径（１４）より小さい、請求項１記載のトルクコンバータ。
【請求項９】
トーラス形状がせん断されている、すなわち、トーラス形状を通る仮想の軸方向断面が、内側のガイドホイール通流口直径（１４）を起点として、有効半径（１５）の増加と共に次第に軸方向で一方向にずらされている、請求項１記載のトルクコンバータ。
【請求項１０】
せん断が線形である、すなわち、制御変数である有効半径（１５）にわたって、軸方向のずれと有効半径差との商が一定である、請求項９記載のトルクコンバータ。
【請求項１１】
トーラス形状がタービン（２）に向かってせん断されている、請求項９記載のトルクコンバータ。
【請求項１２】
トーラス形状がポンプ（１）に向かってせん断されている、請求項９記載のトルクコンバータ。
【請求項１３】
少なくとも１つのトーショナルバイブレーションダンパを備える、請求項１記載のトルクコンバータ。
【請求項１４】
自動車のためのトルクコンバータであって、ケーシング（４）と、該ケーシング（４）内に配置されるポンプ（１）、タービン（２）、ガイドホイール（３）、ロックアップクラッチとが設けられており、前記ポンプ（１）、タービン（２）およびガイドホイール（３）が相俟って１つのトーラスを形成しており、前記ガイドホイール（３）が、流入開口（９）および流出開口（１０）を有している形式のものにおいて、ガイドホイール（３）の流出開口（１０）における外側の環状の制限面（１９）の直径が、ガイドホイール（３）の流入開口（９）における外側の環状の制限面（１９）の直径より大きいことを特徴とする、自動車のためのトルクコンバータ。
【請求項１５】
自動車のためのトルクコンバータであって、ケーシング（４）と、該ケーシング（４）内に配置されるポンプ（１）、タービン（２）、ガイドホイール（３）、ロックアップクラッチとが設けられており、前記ポンプ（１）、タービン（２）およびガイドホイール（３）が相俟って１つのトーラスを形成しており、前記ガイドホイール（３）が、流入開口（９）および流出開口（１０）を有している形式のものにおいて、ガイドホイール（３）の外側の環状の制限面（１９）の直径が、ガイドホイール（３）の流入開口（９）からガイドホイール（３）の流出開口（１０）に、連続的に拡大することを特徴とする、自動車のためのトルクコンバータ。
【手続補正書】
【提出日】平成22年4月2日(2010.4.2)
【手続補正１】
【補正対象書類名】特許請求の範囲
【補正対象項目名】全文
【補正方法】変更
【補正の内容】
【特許請求の範囲】
【請求項１】
高温度環境における温度を算出する方法であって、
前記高温度環境で動作して異なる動作温度に対して異なる中心周波数の範囲を有するアンテナの送信周波数範囲を備える電磁信号を出力するべく電磁信号源を使用するステップと、
前記送信周波数範囲内の、前記アンテナの反射特性を表す戻り信号を受信器にて受信するステップと、
前記戻り信号から抽出された同相波形および直交波形に信号処理要素を使用して周波数時間変換を生成して、前記戻り信号に対応する反射に対して時間領域の振幅特性および位相特性を表す結果データを生成するステップと、
前記アンテナの前記中心周波数に対応する反射を含む前記結果データの一部に前記信号処理要素を使用して時間周波数変換を与えることによって、前記アンテナの反射率のための応答曲線を生成するステップと、
前記アンテナに対する前記中心周波数を検出するべく前記信号処理要素を使用して前記応答曲線の最小ポイントを特定するステップと、
前記アンテナの前記中心周波数に対応する温度を特定するべく前記最小ポイントに較正マップを前記信号処理要素を介して適用するステップと、
前記アンテナの前記中心周波数に対応する前記温度を前記高温度環境の温度として表す表示を与えるステップと
を含む方法。
【請求項２】
前記アンテナは、前記高温度環境での温度増加に伴い誘電率が増加する誘電体材料が充填された共鳴構造を含む、請求項１に記載の方法。
【請求項３】
前記反射率が前記アンテナに対応することを保証するべく、前記高温度環境にある前記アンテナ以外の物体に対応する反射特性を表す所定の結果データを、前記結果データの前記一部に前記時間周波数変換を適用する前に除去するステップをさらに含む、請求項１に記載の方法。
【請求項４】
前記所定の結果データを除去するステップは、前記信号処理要素を使用して前記結果データに対して時間ゲートを適用することにより、前記物体に対応する前記反射特性をゼロにすることを達成する、請求項３に記載の方法。
【請求項５】
前記アンテナは、前記高温度環境での温度増加に伴い誘電率が増加する誘電体基板を含むパッチアンテナを含む、請求項１に記載の方法。
【請求項６】
プローブ体が前記パッチアンテナを収容し、前記高温度環境内での動作を目的として取り付けられる、請求項５に記載の方法。
【請求項７】
高温度環境における温度を算出する方法であって、
前記高温度環境で動作するアンテナに接続されたネットワークアナライザを使用して、前記アンテナに対応する反射率のための応答曲線を生成するステップと、
前記アンテナに対する共鳴周波数を検出するべく前記応答曲線の最小ポイントを特定するステップと、
前記アンテナの前記共鳴周波数に対応する温度を特定するべく前記最小ポイントに較正マップを適用するステップと、
前記アンテナの前記共鳴周波数に対応する前記温度を前記高温度環境の温度として与えるステップと
を含み、
前記応答曲線を生成するステップは、前記高温度環境から反射される戻り信号から抽出されて前記アンテナの反射特性により特徴付けられる同相波形および直交波形の周波数時間変換を達成して前記戻り信号に対応する反射に対して時間領域の振幅特性および位相特性を表す結果データを生成することと、前記アンテナの共鳴周波数に対応する反射を含む前記結果データの一部に対して時間周波数変換を適用して前記応答曲線を生成することとにより行われる方法。
【請求項８】
前記アンテナは、前記高温度環境での温度増加に伴い誘電率が増加する誘電体材料が充填された共鳴構造を含む、請求項７に記載の方法。
【請求項９】
前記反射率が前記アンテナに対応することを保証するべく、前記高温度環境にある前記アンテナ以外の物体に対応する反射特性を表す所定の結果データを、前記結果データの前記一部に前記時間周波数変換を適用する前に除去するステップをさらに含む、請求項７に記載の方法。
【請求項１０】
前記所定の結果データを除去するステップは、前記ネットワークアナライザを使用して前記結果データに対して時間ゲートを適用することにより、前記物体に対応する前記反射特性をゼロにすることを達成する、請求項９に記載の方法。
【請求項１１】
前記アンテナは、前記高温度環境での温度増加に伴い誘電率が増加する誘電体基板を含むパッチアンテナを含む、請求項７に記載の方法。
【請求項１２】
プローブ体が前記パッチアンテナを収容し、前記高温度環境内での動作を目的として取り付けられる、請求項１１に記載の方法。
【請求項１３】
高温度環境における温度を算出するシステムであって、
前記高温度環境で動作する共鳴構造を含むプローブ体に対応する反射率のための応答曲線を生成するネットワークアナライザと、
前記共鳴構造に対する共鳴周波数を検出するべく前記応答曲線に対する最小ポイントを特定する、前記ネットワークアナライザに接続されたコンピュータと
を含み、
前記コンピュータはさらに、前記共鳴構造の共鳴周波数に対応する温度を特定するべく前記最小ポイントに較正マップを適用する動作を行い、
前記コンピュータは、前記共鳴構造の前記共鳴周波数に対応する前記温度を前記高温度環境の温度として与え、
前記ネットワークアナライザは、前記高温度環境から反射される戻り信号から抽出されて前記共鳴構造の反射特性により特徴付けられる同相波形および直交波形の周波数時間変換を達成して前記戻り信号に対応する反射に対して時間領域の振幅特性および位相特性を表す結果データを生成することと、前記共鳴構造の共鳴周波数に対応する反射を含む前記結果データの一部に対して時間周波数変換を適用して前記応答曲線を生成することとにより行われる信号処理ロジックを含むシステム。
【請求項１４】
前記アンテナは、前記高温度環境での温度増加に伴い誘電率が増加する誘電体材料が充填された共鳴構造を含む、請求項１３に記載のシステム。
【請求項１５】
前記コンピュータは、前記高温度環境にある前記共鳴構造以外の物体に対応する反射特性を表す所定の結果データを、前記応答曲線を生成する前に除去する動作をさらに行う、請求項１３に記載のシステム。
【請求項１６】
前記コンピュータは、前記結果データに対して時間ゲートを適用することにより前記物体に対応する前記反射特性をゼロにすることを達成することによって前記所定の結果データを除去する、請求項１５に記載のシステム。
【請求項１７】
前記共鳴構造は、前記高温度環境での温度増加に伴い誘電率が増加する誘電体基板を含むパッチアンテナを含む、請求項１３に記載のシステム。
【請求項１８】
前記プローブ体は前記パッチアンテナを収容し、前記高温度環境内での動作を目的として取り付けられる、請求項１７に記載のシステム。
【手続補正書】
【提出日】平成22年3月18日(2010.3.18)
【手続補正１】
【補正対象書類名】特許請求の範囲
【補正対象項目名】全文
【補正方法】変更
【補正の内容】
【特許請求の範囲】
【請求項１】
車両用のモジュール・アセンブリであって、
プレート構造を有したブラストプレートであって、前記プレート構造は、ある車両の車体の外部マージンの一部に適合するよう形成され、車体の外部マージン上に存在するある取り付け装置に動作可能に接続することにより該車体に半永久的に取り付けられるものと、
前記プレート構造に接続可能な少なくとも１個の標準化された追加装置モジュールとを備え、
前記プレート構造は標準化された追加装置モジュールを支持的に取り付けるための少なくとも１個の取り付けブラケットを有し、前記少なくとも１個の取り付けブラケットは、複数のボア（孔）であって、前記追加装置の取り付けピンを受け入れて、該追加装置を設置するためのもので、前記ピンは該追加装置を簡単に取り外せ、前記プレート構造は、前記車体に向けられた砲撃の影響からその車体を保護するように作用する構造的特徴を持つことを特徴とする。
【請求項２】
ブラストプレートと車体外部マージンとの間に規定された空間を持って車体に取り付けられることを特徴とする請求項１記載のモジュール・アセンブリ。
【請求項３】
ブラストプレートと車体外部マージンとの間に配設され、その間に空間を限定するスペーサを持って車体に取り付けられることを特徴とする請求項１記載のモジュール・アセンブリ。
【請求項４】
スペーサは、それぞれの取り付け装置の周に配設されるワッシャであることを特徴とする請求項３記載のモジュール・アセンブリ。
【請求項５】
追加装置モジュールは、上部と下部とを有し、上部取り付けブラケットと下部取り付けブラケットとが前記追加装置モジュールの上部と下部の両方を支持することを特徴とすることを請求項４記載のモジュール・アセンブリ。
【請求項６】
取り付けブラケットは、追加装置モジュールに電気接続を提供することを特徴とする請求項５記載のモジュール・アセンブリ。
【請求項７】
取り付けブラケットは、前記取り付けブラケットに支持される２個の追加装置モジュールのそれぞれの間に電気接続を提供することを特徴とする請求項５記載のモジュール・アセンブリ。
【請求項８】
追加装置モジュールは装甲モジュールであることを特徴とする請求項１記載のモジュール・アセンブリ。
【請求項９】
追加装置モジュールは反応装甲モジュールであることを特徴とする請求項８記載のモジュール・アセンブリ。
【請求項１０】
追加装置モジュールはパッシブ装甲モジュールであることを特徴とする請求項８記載のモジュール・アセンブリ。
【請求項１１】
追加装置モジュールは電磁気的装甲モジュールであることを特徴とする請求項１記載のモジュール・アセンブリ。
【手続補正書】
【提出日】平成22年3月29日(2010.3.29)
【手続補正１】
【補正対象書類名】特許請求の範囲
【補正対象項目名】全文
【補正方法】変更
【補正の内容】
【特許請求の範囲】
【請求項１】
処理炉を用いて所定の温度・時間プロフィールでなされる半田付けプロセスにおけるフラックスの性能を評価するための方法であって、
誘電体材料基板上の所定の領域内に配置された２つの金属トレースを備えるコンダクタンスプローブを設ける工程と、
前記半田付けプロセス中に前記コンダクタンスプローブの温度を測定するための温度プローブを設ける工程と、
前記所定の領域の少なくとも一部分上に所定量の前記フラックスを塗布する工程と、
前記コンダクタンスプローブを、塗布された前記フラックスと共に所定の温度・時間プロフィールに従って加熱する工程と、
前記コンダクタンスプローブの前記金属トレース間における電気伝導度を前記半田付けプロセス中に前記コンダクタンスプローブの温度の関数として測定し、電気伝導度−温度・時間プロフィールを生成する工程と、
前記電気伝導度−温度・時間プロフィールを分析し、半田付けプロセスにおける前記フラックスの性能を求める工程とを含む方法。
【請求項２】
処理炉を用いて所定の温度・時間プロフィールでなされる半田付けプロセスにおけるフラッックスの性能を評価するための装置であって、
誘電体材料基板上の所定の領域内に配置された２つの金属トレースを備えるコンダクタンスプローブと、
前記半田付けプロセス中に前記コンダクタンスプローブの温度を測定するための温度プローブと、
前記コンダクタンスプローブの２つの金属トレース間における電気伝導度を測定するための電気伝導度計とを具備し、
前記所定の領域の少なくとも一部分上に所定量の前記フラックスが塗布され、前記コンダクタンスプローブが、塗布された前記フラックスと共に所定の温度・時間プロフィールに従って加熱され、前記コンダクタンスプローブの前記金属トレース間における電気伝導度が前記コンダクタンスプローブの温度の関数として測定されて、電気伝導度−温度・時間プロフィールが生成され、該電気伝導度−温度・時間プロフィールを分析して、半田付けプロセスにおける前記フラックスの性能を求められるようにした装置。
【手続補正書】
【提出日】平成22年3月16日(2010.3.16)
【手続補正１】
【補正対象書類名】明細書
【補正対象項目名】０００４
【補正方法】変更
【補正の内容】
【０００４】
最近、カラオケルームシステム１では、ＬＣＤやＰＤＰなどの平板ディスプレイ装置が使用される。平板ディスプレイ装置は、厚さが薄いため、狭小なカラオケルームに適する。ところが、このような平板ディスプレイ装置を使用する場合でも、ボックスタイプのカラオケ２とアンプ４を使用すると、これらを収納するための収納テーブル３の使用が不可避なので、空間節減の効果が得られない。また、平板ディスプレイ装置を壁面に掛けて収納テーブル３を無くす場合には、ディスプレイ装置の下方に、カラオケ２またはアンプ４を収納するための別途の棚７（図５）を壁面に埋設しなければならない。よって、棚７が埋設されるだけの室内空間が減少するうえ、施行費が高くかかるという問題点があった。
【手続補正２】
【補正対象書類名】明細書
【補正対象項目名】００１７
【補正方法】変更
【補正の内容】
【００１７】
前記ディスプレイパネル２１の後面の一側にはディスプレイ用基板４１が、他側には伴奏器用基板５１が、それぞれ上下に摺動自在に設置される。この際、前記ディスプレイ用基板４１は、好ましくはディスプレイパネル用ＡＤボード４２であり、その下端には各種ＡＶ端子を設置するための端子板４５が垂直に設置される。前記ディスプレイ用基板４１には、ＡＤボード４２の他に電源装置４３、コントロールボード（ＯＳＤボード）４４、インバータボード（図示せず）およびＴＶチューナーなどが設置され得る。
【手続補正書】
【提出日】平成22年3月26日(2010.3.26)
【手続補正１】
【補正対象書類名】特許請求の範囲
【補正対象項目名】全文
【補正方法】変更
【補正の内容】
【特許請求の範囲】
【請求項１】
薬理許容アジュバンドに吸着された抗原の生存能力または潜在能力を分析する方法であって、
（ａ）抗原抗体複合体を形成するために、アジュバンドに吸着された抗原の懸濁液を、抗原に対する検出可能標識一次抗体の溶液または懸濁液に接触させて、検出可能標識を測定し、または
（ｂ）抗原抗体複合体を形成するために、アジュバンドに吸着された抗原の懸濁液を、抗原に対する一次抗体の溶液または懸濁液に接触させ、かつ前記抗原抗体複合体を、抗原抗体複合体用の検出可能標識プローブに接触させて、プローブ上の検出可能標識を測定し、
それによって活性抗原の量を測定する、ことを含む分析方法。
【請求項２】
前記抗原がサブユニットワクチンの成分である請求項１に記載の方法。
【請求項３】
前記抗原が炭疽菌防御抗原である請求項２に記載の方法。
【請求項４】
前記抗原が配列識別番号１のアミノ酸配列を含む請求項３に記載の方法。
【請求項５】
前記一次抗体が炭疽菌防御抗原のドメイン４の抗体である請求項３に記載の方法。
【請求項６】
前記アジュバントがコロイド系アジュバントである請求項１に記載の方法。
【請求項７】
前記コロイド系アジュバントが、リン酸カルシウム、リン酸アルミニウム、およびオキシ水酸化アルミニウムより成る群から選択される請求項６に記載の方法。
【請求項８】
前記抗原の分析方法が前記手順（ａ）による請求項３項記載の方法。
【請求項９】
前記一次抗体が、配列識別番号１を有する抗原の配列識別番号２、３または４のアミノ酸配列によって定義される領域に結合する、または配列識別番号１を有する抗原に結合する請求項８に記載の方法。
【請求項１０】
前記一次抗体が、マウス抗防御抗原モノクロナール抗体クローン２Ｂ１８、マウス抗防御抗原モノクローナル抗体クローンＲＤＩ−ＴＲＫ３ＢＡ１６−Ｃ３（クローンＣ３）、マウス抗防御抗原モノクローナル抗体クローンＲＤＩ−ＴＲＫ３ＢＡ１６−１０５ｍＡｂ、またはマウス抗防御抗原モノクローナル抗体クローンＲＤＩ−ＴＲＫ３ＢＡ１６−１０６ｍＡｂ、の１つまたは複数である請求項８に記載の方法。
【請求項１１】
前記検出可能標識が、放射線標識、蛍光標識、ビチオン化標識、または酵素標識である請求項８に記載の方法。
【請求項１２】
前記抗原が前記手順（ｂ）によって検出される請求項３に記載の方法。
【請求項１３】
前記一次抗体が、配列識別番号１を有する抗原の配列識別番号２、３または４のアミノ酸配列によって定義される領域に結合する、または配列識別番号１を有する抗原に結合する請求項１２に記載の方法。
【請求項１４】
前記一次抗体が、マウス抗防御抗原モノクロナール抗体クローン２Ｂ１８、
マウス抗防御抗原モノクローナル抗体クローンＲＤＩ−ＴＲＫ３ＢＡ１６−Ｃ３（クローンＣ３）、マウス抗防御抗原モノクローナル抗体クローンＲＤＩ−ＴＲＫ３ＢＡ１６−１０５ｍＡｂ、またはマウス抗防御抗原モノクローナル抗体クローンＲＤＩ−ＴＲＫ３ＢＡ１６−１０６ｍＡｂ、の１つまたは複数である請求項８に記載の方法。
【請求項１５】
前記検出可能標識プローブが、抗体または免疫グロブリン結合タンパク質である請求項１３に記載の方法。
【請求項１６】
前記検出可能標識プローブが、タンパク質Ａおよびタンパク質Ｇから選択される免疫グロブリン結合タンパク質である請求項１５に記載の方法。
【請求項１７】
前記検出可能標識プローブが、一次抗体／抗原複合体についての検出可能標識二次抗体である請求項１５に記載の方法。
【請求項１８】
前記二次抗体が、ＩｇＧ抗マウス抗体またはＩｇＧ抗ラビット抗体である請求項１７に記載の方法。
【請求項１９】
前記一次抗体が、配列識別番号１を有する抗原の配列識別番号２、３または４のアミノ酸配列によって定義される領域に結合する、または配列識別番号１を有する抗原に結合する請求項１７に記載の方法。
【請求項２０】
前記一次抗体が、マウス抗防御抗原モノクロナール抗体クローン２Ｂ１８、マウス抗防御抗原モノクローナル抗体クローンＲＤＩ−ＴＲＫ３ＢＡ１６−Ｃ３（クローンＣ３）、マウス抗防御抗原モノクローナル抗体クローンＲＤＩ−ＴＲＫ３ＢＡ１６−１０５ｍＡｂ、またはマウス抗防御抗原モノクローナル抗体クローンＲＤＩ−ＴＲＫ３ＢＡ１６−１０６ｍＡｂ、の１つまたは複数である請求項１９に記載の方法。